Podtech/llm-jp-corpus-v4-ja_patent huggingface dataset:
(57)【要約】      （修正有）【課題】本発明の課題は、医療用手術刃を含む手術器であって、マイクロ波を利用し、生体組織を切開しつつ、止血、凝固能に優れたマイクロ波手術器を提供。【解決手段】医療用手術刃を含む手術器であって、該手術器の先端部が、マイクロ波伝送用中心導体１、絶縁体２、及び外部導体３を含む構造からなり、該中心導体１及び該外部導体３が露出されてなるマイクロ波手術器による。該マイクロ波手術器の先端部である手術刃１は、鉤状構造を有していてもよい。【選択図】図１
2008054925.tif 000002
【特許請求の範囲】
【請求項１】
医療用手術刃を含む手術器であって、該手術器の先端部が、同軸状のマイクロ波伝送用中心導体、絶縁体、及び外部導体を含む構造からなり、該中心導体の先端部に接続された手術刃が該外部導体の側面に露出しており、マイクロ波の印加が、対象物に対して可能であるマイクロ手術器。
【請求項２】
外部導体の先端部が、外部導体の側面に露出した手術刃の刃先端部を除いて、絶縁体を介して覆うことにより、対象物以外の部位にマイクロ波の不要放射をしない構造からなる請求項１に記載のマイクロ手術器。
【請求項３】
手術刃の刃先部と手術刃を覆った外部導体が、生体表面に接触することにより対象部位の切開、止血、凝固が可能になる請求項１または２に記載のマイクロ波手術器。
【請求項４】
同軸状のマイクロ波伝送部が軟性のケーブルであることを特徴とする、内視鏡および／またはカテーテルに挿入可能な請求項１〜３のいずれか１に記載のマイクロ手術器。
【発明の詳細な説明】
【技術分野】
【０００１】
本発明は、医療用手術刃を含み、マイクロ波を利用した医療用手術器、すなわち医療用手術刃を含むマイクロ波手術器に関する。
【背景技術】
【０００２】
生体組織の手術に高周波用とされる双極型（バイボーラ型）の手術器は種々利用されている。マイクロ波手術器として、マイクロ波伝送用内部導体にマイクロ波照射用中心電極（導体）を構成する生体組織の切開、切離、切除等の手術刃を接続し、手術刃の先端部を残して絶縁体で手術刃を被覆し、絶縁体の外側に先細り筒状の外部電極（導体）を設け、外部導体をマイクロ波伝送用外部導体に接続したものが開示されている（特許文献１）。しかしながら、上記マイクロ手術器は、開腹下での使用を前提としているため、カテーテル、内視鏡などでの使用には適さない構造であった。
【特許文献１】特開平5-084255号公報
【発明の開示】
【発明が解決しようとする課題】
【０００３】
本発明の課題は、医療用手術刃を含む手術器であって、マイクロ波を利用し、生体組織を切開しつつ、止血、凝固能に優れたマイクロ波手術器を提供することである。
【課題を解決するための手段】
【０００４】
本発明者らは、上記課題を解決するために鋭意研究を重ねた結果、手術器の先端部が、マイクロ波伝送用中心導体、絶縁体、及び外部導体によって構成され、中心導体及び外部導体を露出させることにより、マイクロ波の印加が対象物に対して可能であるマイクロ波手術器を提供しうることに成功し、本発明を完成した。
【０００５】
すなわち本発明は、以下からなる。
１．医療用手術刃を含む手術器であって、該手術器の先端部が、同軸状のマイクロ波伝送用中心導体、絶縁体、及び外部導体を含む構造からなり、該中心導体の先端部に接続された手術刃が該外部導体の側面に露出しており、マイクロ波の印加が、対象物に対して可能であるマイクロ手術器。
２．外部導体の先端部が、外部導体の側面に露出した手術刃の刃先端部を除いて、絶縁体を介して覆うことにより、対象物以外の部位にマイクロ波の不要放射をしない構造からなる前項１に記載のマイクロ手術器。
３．手術刃の刃先部と手術刃を覆った外部導体が、生体表面に接触することにより対象部位の切開、止血、凝固が可能になる前項１または２に記載のマイクロ波手術器。
４．同軸状のマイクロ波伝送部が軟性のケーブルであることを特徴とする、内視鏡および／またはカテーテルに挿入可能な前項１〜３のいずれか１に記載のマイクロ手術器。
【発明の効果】
【０００６】
本発明のマイクロ波手術器は、操作し易く、生体組織を切開しつつ、マイクロ波処置により止血、凝固等を同時に効果的に行うことができる。また、本発明のマイクロ波手術器は、対象物以外の部位にマイクロ波の不要放射をしない構造からなることにより、無駄なく効果的に手術刃としての機能を達成しうる。
【発明を実施するための最良の形態】
【０００７】
以下に本発明の実施形態を、添付図面を参照しながら説明する。ただし、これらの図は本発明の内容を象徴的に示す一例であって、本発明はこれらに限定されるものではない。
【０００８】
本発明のマイクロ波手術器の代表例を図１〜４に示す。本マイクロ波手術器は、医療用手術刃を含み、同軸状のケーブルからなるマイクロ波伝送部でマイクロ波発生装置と接続されている。本マイクロ波手術器の先端部は、マイクロ波伝送用中心導体、絶縁体、及び外部導体を含む構造からなる。該先端部では各種形状の双極型の片方のみを使用しており、対象物である生体組織等と接触する作用部位は、鋭利な刃状の形態であり、露出された中心導体によって形成される。その周囲は絶縁体で覆われ、さらに外部導体で覆う形状となっている。本手術器の先端部は、鉤状構造を有していてもよい。同軸状のマイクロ波伝送部は軟性のケーブルとすることができる。軟性のケーブルとすることで、本発明の手術刃を、内視鏡および／またはカテーテルなどに挿入することが可能となる。
【０００９】
本発明のマイクロ波手術器は、同軸状のケーブルを経てマイクロ波が印加される。本発明において、印加される電圧は３０Ｖ〜６０Ｖである。６０Ｖより高ければ、組織に及ぼす損傷が大きくなり、適切でないからである。また、３０Ｖ未満では、手術刃としての機能および止血効果が十分ではないからである。
【００１０】
図１の左図は本発明のマイクロ波手術器本体の側面図であり、下図は上面図であり、右図は先端部の正面図である。図２〜４のマイクロ波手術器の先端部は、対象物を引っ掛けやすくするために鉤状になっており、いずれも対象物と接触する作用部位は鋭利な刃状の形態であり、露出された中心導体によって形成される。中心導体を通じて、対象物にマイクロ波が印加される。
【産業上の利用可能性】
【００１１】
以上説明したように、本発明のマイクロ波手術器は、医療分野での外科的処置領域において、手術刃としての機能を有すると共に、対象物である生体組織等にマイクロ波が印加されることで、生体組織の止血、凝固能を有する。したがって、本マイクロ波手術器は、操作しやすく、生体組織を切開しつつ、止血、凝固を一回の処置で達成しうる手術器である。また、ミストや煙が出ず、止血能が極めて強く優れており、限られた腹腔内空間での手術器として適している。
【図面の簡単な説明】
【００１２】
【図１】マイクロ波手術器の一態様を示す図である。
【図２】マイクロ波手術器の他の一態様を示す図である。
【図３】マイクロ波手術器の他の一態様を示す図である。
【図４】マイクロ波手術器の他の一態様を示す図である。
【符号の説明】
【００１３】
１  中心導体（手術刃）
２  絶縁体
３  外部導体
【図１】
2008054925.tif 000003
【図２】
2008054925.tif 000004
【図３】
2008054925.tif 000005
【図４】
2008054925.tif 000006
(57)【要約】【課題】剣山やオアシスを使用することなく立方体上面の穴を利用して花を立てて生けることの出来る意匠性と機能を持ち合わせた花器を提供することを目的とする。【解決手段】各面に任意の数の穴が形成されて略コの字型に曲げられた板状の外器Ａと、この外器Ａと同様形状の外器Ｂとを立方体を成形せしめるように組み合わせ、内部に水受け用の内器３を配置して花を生けるようにした構成としたものである。【選択図】図１
2008054959.tif 000002
【特許請求の範囲】
【請求項１】
各面に任意の数の穴が形成されて略コの字型に曲げられた板状の外器Ａと、この外器Ａと同様形状の外器Ｂとを立方体を成形せしめるように組み合わせ、内部に水受け用の内器を配置して花を生けるようにしたことを特徴とする花器。
【請求項２】
立方体を成形せしめた花器の各面に形成する穴をサイコロ目の数としたことを特徴とする請求項１記載の花器。
【発明の詳細な説明】
【技術分野】
【０００１】
本発明は、例えば花を生けるときに使用する花立などの花瓶や花器等に関するものである。
【背景技術】
【０００２】
従来の上記した花立などの花瓶や花器等は、日本では古くから生け花等に使用されている剣山、欧風式アレンジ等ではオアシスと呼ばれる吸水スポンジを利用して花を生ける手法が主に利用されている。特に半円丘面の穴に花の茎を挿入して支持し、根部を水吸収スポンジに挿して使用する形態が一般的である。（例えば特許文献１参照）
【特許文献１】特開平７−３２７７９９号  公報
【発明の開示】
【発明が解決しようとする課題】
【０００３】
しかしながら上記従来の構成では、これらの用具を使用した場合、上述の剣山に関しては剣のようになっている部分に花の茎を差し込む為にあまり茎の細い類のものは生けることが出来ず、かつ剣を隠すために剣本来の周りにたくさんの花を生ける必要があった。
【０００４】
また、後述の吸水スポンジ（通称  オアシス）に関しては、剣山とは違い茎の太さにこだわることなく自在に花を生けることが出来るが、スポンジであるが故に茎を差し込んでしまうと穴の開いた状態になり、１度使用するとスポンジ自体が崩れることが多く何度も使用することが出来なかった。さらに吸水スポンジであるが為に水の必要供給量が確認しづらく水枯れをしてしまうことも多くあった。
【０００５】
本発明は上記従来の課題を解決するもので、剣山やオアシスを使用することなく立方体上面の穴を利用して花を立てて生けることの出来る意匠性と機能を持ち合わせた花器を提供することを目的とする。
【課題を解決するための手段】
【０００６】
上記課題を解決するために本発明の花器は、各面に任意の数の穴が形成されて略コの字型に曲げられた板状の外器Ａと、この外器Ａと同様形状の外器Ｂとを立方体を成形せしめるように組み合わせ、内部に水受け用の内器を配置して花を生けるように構成したものである。したがって、立方体の使用する上面を変更することによって花の種類（茎の太い・細い）や生ける量に応じて対応することができるといった作用を有することとなる。また、立方体を成形せしめた花器の各面に形成する穴をサイコロ目の数として構成としたものである。したがって、上記と同様に花の種類や生ける量に応じてサイコロ目の数を選択して上面にするだけでよく、簡単に対応することができるといった作用を有することとなる。
【発明の効果】
【０００７】
本発明の花器は、上記構成を備えたことにより、穴の開けられた立方体の上面を生けたい花の本数や意匠性に合わせてその都度組み合わせを変えて花を生けることが出来る。また、外器Ａと同様形状の外器Ｂとを立方体を成形せしめるように組み合わせているだけなので、簡単に組み合わせ構成を変えることができるといったような効果が得られる。
【発明を実施するための最良の形態】
【０００８】
以下、本発明の一実施の形態について図面を参照しながら説明する。図１は本発明の花器の斜視図、図２は図１に示した立方体の三側面を示す略コの字形状の外器Ａの斜視図、図３は同様に別の三側面を示す略コの字形状の外器Ｂの斜視図、図４は立方体の内側に配置される花器の斜視図、図５はそれぞれを組み合わせ実際に花を生けた時の花器の斜視図を示す。
【０００９】
これらの図において、１は三側面を示す略コの字形状の外器Ａ、２は同様に別の三側面を示す略コの字形状の外器Ｂで、この両者を組み合わせて図１のごとき花を生ける時の花止めとしての役割をになう立方体の花器を構成している。３は内部に水を入れて花や植物を挿入するガラス器等の内器、４は花立用の穴で立方体の各面にサイコロの目の数と同一の数だけ形成されている。なお、この各面に形成される穴の数はサイコロの目の数に限定されることなく必要に応じて任意の数及び大きさを選択することもできる。５は花を示す。
【００１０】
次に上記した立方体花器（サイコロ）の使用方法、すなわち花の立て方について説明する。まず、図２に示すように立方体の三側面を形成する略コの字形状の外器Ａを一面が底面になるように固定する。次に、この底面にガラス器の内器３を底面を重ね合わせるように設置する。この内器３は上面から差し込む花の本数によって置く位置や大きさを調整しながら設置する。次に、図１のような立方体を成形せしめるように図３の立方体の三側面を形成する略コの字形状の外器Ｂを図２の外器Ａの三側面に組み合わせていく。要するに使用したい穴の数の面を上にするように外器Ａと外器Ｂを組み合わせて立方体を形成すればよく、簡単に組み合わせることができる。
【００１１】
上述したような実施形態で利用することで器底の水の量も各面に形成された穴から一目で確認でき、花の本数の増減に伴って立方体花器上面の穴の数を変更することで少しの花でも美しく飾ることができる。また、内器のガラス器のサイズ以上のサイコロ状に穴の開けられた立方体の上面を入れたい花の本数や、意匠性に合わせてその都度組み合わせを変えて花を生けることが出来る。さらに、同素材のアルミの器に限ることなく紙素材やプラスチック素材など、素材を変更しても内器にガラス器を差し込むことでこのサイコロの穴を利用して花を形良く生けることが出来る。
【図面の簡単な説明】
【００１２】
【図１】本発明の花器の斜視図
【図２】外器Ａの斜視図
【図３】外器Ｂの斜視図
【図４】花器の斜視図
【図５】花を生けた時の花器の斜視図
【符号の説明】
【００１３】
１    外器Ａ
２    外器Ｂ
３    内器
４    穴
５    花
【図１】
2008054959.tif 000003
【図２】
2008054959.tif 000004
【図３】
2008054959.tif 000005
【図４】
2008054959.tif 000006
【図５】
2008054959.tif 000007
(57)【要約】【課題】簡単な構成で容易に花を立てて生けることの出来る花立具を提供することを目的とする。【解決手段】略Ｌ字型で下部に花差し用の穴４が設けられた薄板状のスタンド１と、このスタンド１の略垂直部であって裏面の係止用マグネット３によって任意位置に固定される挿通口８が形成された支持具２と、前記スタンド１の花差し用の穴４の下部に配置される水差し５とを備え、前記支持具２の挿通口８に茎を挿通し、さらに花差し用の穴４を通して水差し５に挿入して茎の上下部を支持するように構成したものである。【選択図】図１
2008054962.tif 000002
【特許請求の範囲】
【請求項１】
略Ｌ字型で下部に花差し用の穴が設けられた薄板状のスタンドと、このスタンドの略垂直部であって裏面の係止用マグネットによって任意位置に固定される挿通口が形成された支持具と、前記スタンドの花差し用の穴の下部に配置される水差しとを備え、前記支持具の挿通口に茎を挿通し、さらに花差し用の穴を通して水差しに挿入して茎の上下部を支持するようにしたことを特徴とする花立具。
【発明の詳細な説明】
【技術分野】
【０００１】
本発明は、例えば花を生ける時に使用する花立具に関するものである。
【背景技術】
【０００２】
従来の上記した花立具は、古くから生け花等に使用されている剣山によるものが多く使
用されている。また、輪状の花ホルダー部と輪状のクリップ部とが一体に形成された花保持具を利用し、花を保持した状態でクリップ部をグラスの細いステム部に嵌入させて花を立てるといったような花器も提案されている。（例えば  特許文献１参照）
【特許文献１】特開２０００−３２５１９８号  公報
【発明の開示】
【発明が解決しようとする課題】
【０００３】
しかしながら上記従来の用具を使用した場合、上述の剣山に関しては剣のようになっている部分に花の茎を差し込む為に、あまり茎の細い類のものを生ける事が出来ず、かつ剣になっている部分全般を被うための花材を要する為数本もしくは１輪のみを愛でるような花生けを楽しむことが困難であった。また、１輪のみを愛でるような花生けの場合、下部での固定のみではぐらつきが多く、思うような位置と花の向きの固定が困難であった。さらに、後述の特許文献１のごとき構成においても１ヵ所のみの支持であるため、前述と同様に思うような位置と花の向きの固定が困難であるし、グラスの細いステム部のみにしか支持固定できないといったような不具合があった。
【０００４】
本発明は上記従来の課題を解決するもので、簡単な構成で容易に花を立てて生けることの出来る花立具を提供することを目的とする。
【課題を解決するための手段】
【０００５】
上記課題を解決するために本発明の花立具は、略Ｌ字型で下部に花差し用の穴が設けられた薄板状のスタンドと、このスタンドの略垂直部であって裏面の係止用マグネットによって任意位置に固定される挿通口が形成された支持具と、前記スタンドの花差し用の穴の下部に配置される水差しとを備え、前記支持具の挿通口に茎を挿通し、さらに花差し用の穴を通して水差しに挿入して茎の上下部を支持するように構成したものである。したがって、茎の上下部がしっかりと支持固定されるため任意の位置および花の向きの固定が容易となり、茎の細い類のものでも生ける事ができるという作用を有することとなる。
【発明の効果】
【０００６】
本発明の花立具は、上記構成を備えたことにより、茎の上下部がしっかりと支持固定されるため任意の位置および花の向きの固定が容易となり、茎の細い類のものでも生ける事ができることになり、花の種類（茎の細さ）や量を伴うことなく１輪もしくは数本で花生けを自由に楽しめることになる。                                                        
【発明を実施するための最良の形態】
【０００７】
以下、本発明の一実施の形態について図面を参照しながら説明する。図１は本発明の花立具の斜視図、図２は支持具の断面図、図３は花を生けた状態の花立具の斜視図である。図において、１は上部に略垂直部を有する略Ｌ字型の薄板状のスタンド、２は薄板状のスタンド１の略垂直部部分に配置され薄板の裏面に配置された係止用マグネット３で固定されるようになっている支持具である。４はスタンド下部の少し湾曲した部分に形成された花差し用の穴で、この穴の薄板裏面下方に水差し５が配置されている。支持具２は、図２に示すように基部に磁石６が埋め込まれており、先方に図３に示す花７の茎が挿通される挿通口８が形成されている。したがってこの支持具２は、薄板の裏面に配置された係止用マグネット３で基部の磁石６が吸着されるため薄板状のスタンド１の略垂直部部分の任意の位置に固定することができる。
【０００８】
次に支持具２の使用方法、すなわち花７の立て方について説明する。まず、図１のように薄板状のスタンド１を介して支持具基部に埋め込まれた磁石６と薄板の裏面に配置された係止用マグネット３のＳ極とＮ極とを相互に引き合うように配置して、花の長さに合わせて支持具２の位置をバランス良く薄板状のスタンド１上部の任意位置に固定調整する。次に、図３のように生けようとする花７を、図２に示す支持具２の挿通口８を通過させ、薄板状のスタンド１下部に開けられた穴４に茎を差し込むようにセットする。そして上述の花７を薄板状のスタンド１の穴下部裏面にあらかじめセットされた水差し５を利用して、上述の花７の下部を該水差し５に差し込んで固定する。
【０００９】
したがって、花７は上方と下方が支持固定されるようになるため任意の位置および花の向きの固定が容易となり、茎の細い類のものでも生ける事ができることになり、花の種類（茎の細さ）や量を伴うことなく１輪もしくは数本でも花生けを自由に楽しめることになる。また、水差し５がおもむろに前面に出ないので茎が水に入っていることが見えず、すっきりとした表情の花器として花生けを仕上げることが出来る。花７を複数本立てるときは、支持具２の挿通口８を少し大きく形成すればよい。
【００１０】
特に本発明の花立具においては、薄板状のスタンドの素材として種々のものを用いることで裏面に映り込む花の姿を楽しむことも可能となり、見る角度によって花の表面を映し込み、あたかも２本の花が存在するような相乗効果を生み出すことを可能とすることも出来る。また、薄板状のスタンドを鏡面等にすることで花器自体の存在感をなくし、花自体の美しさを表現することも可能である。
【図面の簡単な説明】
【００１１】
【図１】本発明の花立具の斜視図
【図２】支持具の断面図
【図３】花を生けた状態の花立具の斜視図
【符号の説明】
【００１２】
１    薄板状のスタンド
２    支持具
３    係止用マグネット
４    穴
５    水差し
６    磁石
７    花
８    挿通口  
【図１】
2008054962.tif 000003
【図２】
2008054962.tif 000004
【図３】
2008054962.tif 000005
(57)【要約】【課題】  画像とその画像に関するＩＤ情報を省スペース・省エネルギーで且つ接続コードの数を減少して誤配線やノイズ発生の少ない画像表示装置と画像表示システムを提供する。【解決手段】  画像表示装置は、画像とＩＤ情報の各信号又はこれらの合成信号を受信し、表示画面の中に画像表示部を設けると共に余白部分にＩＤ表示部を設けて、表示中の画像に関するＩＤ情報を効率良く画像と共に同時表示する。【選択図】  図１
2008054149.tif 000002
【特許請求の範囲】
【請求項１】
画像とＩＤを表示する画像表示システムにおいて、
画像入力手段と、
前記入力画像に関するＩＤ入力手段と、
ＩＤ表示機能を備えた画像表示装置より成る事を特徴とする画像表示システム。
【請求項２】
前記画像表示装置は、
前記入力画像と前記入力ＩＤの各信号又はこれらの合成信号を受信して表示レイアウトを決定する画像ＩＤ合成手段と、
前記画像ＩＤ合成手段からの出力信号に従って画面内に前記画像と前記ＩＤを同時表示する表示手段より成る事を特徴とする請求項１に記載の画像表示システム。
【請求項３】
前記表示手段のアスペクト比が約４：３である事を特徴とする請求項２に記載の画像表示システム。
【請求項４】
前記表示手段の非画像表示部でタリーを表示する事を特徴とする請求項２に記載の画像表示システム。
【発明の詳細な説明】
【技術分野】
【０００１】
本発明はＩＤ表示機能付き画像表示装置及び画像表示システムに関するものである。
【背景技術】
【０００２】
従来の画像表示装置はＩＤ表示器が別筐体になっており、放送施設や中継車等において画像表示装置とセットで設置されて複数台使用されていた。この為設置スペースが増大し、接続コードの数も増加して、誤配線やノイズ発生の原因にもなっていた。
【０００３】
【特許文献１】特開平５−１８３８７８
【発明の開示】
【発明が解決しようとする課題】
【０００４】
本発明は、上記問題点を解決し、画像とその画像に関するＩＤ情報の表示に際して省スペース・省エネルギーで且つ接続コードの数を減少して誤配線やノイズ発生の少ない画像表示装置と画像表示システムを提供する事を課題としている。
【課題を解決するための手段】
【０００５】
上記問題を解決する為に、本発明の画像表示装置は、画像とＩＤ情報の各信号又はこれらの合成信号を受信し、表示画面の中に画像表示部を設けると共に余白部にＩＤ表示部を設けて、表示中の画像に関するＩＤ情報を画像と共に同時表示する事を特徴としている。
【発明の効果】
【０００６】
本発明によれば、画像とその画像に関するＩＤ情報が同一画面内に同時表示されるので、従来に比べて設置スペースが少なくて済み、消費電力が減少して誤配線やノイズ発生の減少も可能になるという効果がある。
【発明を実施するための最良の形態】
【０００７】
以下、図面によって本発明を詳細に説明する。
【０００８】
図１は本発明による表示画面の第１の実施例を表しており、アスペクト比４：３の液晶パネルを採用した表示画面１の中にアスペクト比１６：９の画像を表示し、上部の余白部分にＩＤ表示部２を設けて、効率良く画像と関連するＩＤ情報を表示する。またＩＤ表示部２の右側には画面選択状況を表すタリーマークも表示する。
【０００９】
図２は本発明による表示画面の第２の実施例を表しており、複数のＩＤ表示部を設定した例である。表示画面１の画像表示部３の上部と下部にＩＤ表示部４，５を設けてＩＤ情報の種類により使い分けをする。本実施例では画面選択状況が表示ＩＤの色変化や点滅動作で判別される。
【００１０】
図３は本発明のシステムブロックの第１の実施例を表しており、画像入力部１１とＩＤ入力部１２からの信号が信号合成部１３で重畳される。これらの合成信号は通信系１４を経由して画像表示装置１５に入力される。
【００１１】
画像表示装置１５に入力された合成信号は信号分離部１６において画像信号とＩＤ信号に分離され、画像ＩＤ合成部１７において表示レイアウトが決定されて液晶の表示部１９で図１や図２の如く表示される。この時タリー信号１８に従って画面選択状況も同時に表示部１９で表示する。
【００１２】
図４は本発明のシステムブロックの第２の実施例を表しており、図３の例と異なり、画像表示装置２４において画像信号とＩＤ信号が別入力となる例である。画像入力部２１とＩＤ入力部２２からの各信号が通信系２３を経由して画像表示装置２４に入力される。
【００１３】
画像表示装置２４に入力された信号は画像ＩＤ合成部２６において表示レイアウトが決定されて液晶の表示部２７で図１や図２の如く表示される。この時タリー信号２６に従って画面選択状況も同時に表示部２７で表示する。
【図面の簡単な説明】
【００１４】
【図１】本発明による表示画面の第１の実施例である。
【図２】本発明による表示画面の第２の実施例である。
【図３】本発明によるシステムブロックの第１の実施例である。
【図４】本発明によるシステムブロックの第２の実施例である。
【符号の説明】
【００１５】
１  表示画面
２  ＩＤ表示部
３  画像表示部
４  ＩＤ表示部
５  ＩＤ表示部
１１  画像入力部
１２  ＩＤ入力部
１３  信号合成部
１４  通信系
１５  画像表示装置
１６  信号分離部
１７  画像ＩＤ合成部
１８  タリー信号
１９  表示部
２１  画像入力部
２２  ＩＤ入力部
２３  通信系
２４  画像表示装置
２５  画像ＩＤ合成部
２６  タリー信号
２７  表示部
【図１】
2008054149.tif 000003
【図２】
2008054149.tif 000004
【図３】
2008054149.tif 000005
【図４】
2008054149.tif 000006
(57)【要約】【課題】  これから撮影するシーンの現画像と先に撮影したシーンの前画像との輝度レベルや色合いの差異を明確に判断出来る同時画像表示装置と表示方法を提供する。【解決手段】  メモリに記憶した前画像と、現画像を合成して同時表示する際に、各画像の波形処理を行ってこれらも同一画面内に同時表示する。更に現画像の波形色と前画像の波形色を補色関係にし、同一波形であれば白色表示になる様にして視認性を向上させ、つなぎ合わせやオーバーラップの撮影を容易化する。【選択図】  図３
2008054148.tif 000002
【特許請求の範囲】
【請求項１】
画像と波形の同時表示装置において、
先に撮影した前画像とこれから撮影する現画像を合成する画像合成手段と、
メモリに記憶した前画像とこれから撮影する現画像を各々波形化処理する波形生成手段と、
前記波形生成手段から出力される出力波形を合成する波形合成手段と、
前記画像合成手段から出力される合成画像と前記波形合成手段から出力される合成波形を合成する画像波形合成手段と、
前記画像波形合成手段の合成出力信号を表示する表示手段とを備えた事を特徴とする画像波形表示装置。
【請求項２】
前記波形合成手段の出力波形色が互いに補色の関係になっている事を特徴とする請求項１に記載の画像波形表示装置。
【請求項３】
画像と波形の同時表示装置において、
先に撮影した前画像とこれから撮影する現画像を合成する画像合成ステップと、
メモリに記憶した前画像とこれから撮影する現画像を各々波形化処理する波形生成ステップと、
前記波形生成ステップで出力される出力波形を合成する波形合成ステップと、
前記画像合成ステップで出力される合成画像と前記波形合成ステップで出力される合成波形を合成する画像波形合成ステップと、
前記画像波形合成ステップの合成出力信号を表示する表示ステップとを備えた事を特徴とする画像波形表示方法。
【請求項４】
前記波形合成ステップの出力波形色が互いに補色の関係になっている事を特徴とする請求項３に記載の画像波形表示方法。
【発明の詳細な説明】
【技術分野】
【０００１】
本発明は画像と波形の同時表示装置に関するものである。
【背景技術】
【０００２】
従来の画像表示装置における絵柄の重畳表示は、これから撮影するシーンの現画像と先に撮影したシーンの前画像を同一画面内で合成して同時に表示する方法であり、絵柄の比較しか行えない為に、輝度レベルや色合いの差異を明確に判断する事が出来なかった。
【０００３】
【特許文献１】特開平９−２８４６４３
【発明の開示】
【発明が解決しようとする課題】
【０００４】
本発明は、上記問題点を解決し、現画像と前画像の輝度レベルや色合いの差異を明確に判断出来る同時画像表示装置と表示方法を提供する事を課題としている。
【課題を解決するための手段】
【０００５】
上記問題を解決する為に、本発明の画像表示装置は、メモリに記憶した前画像と現画像を合成して同時表示する際に、各画像の波形処理を行ってこれらも同一画面内の適宜な位置に同時表示する。更に現画像の波形色と前画像の波形色を補色関係にして視認性を向上させる事を特徴としている。
【０００６】
本発明によれば、現画像と前画像の絵柄だけでなく、各画像の波形を同時に同一画面内に表示する事により輝度レベルや色合いの差異も明確になり、視認性も向上して違和感のない繋ぎ合わせやオーバーラップの撮影が可能になる。
【発明の効果】
【０００７】
本発明によれば、現画像と前画像を補色関係にある各波形と共に同一画面内に同時表示するので情報量が増大し、同一波形をオーバーラップした場合は白色表示になるので視認性も向上し、画像状態を瞬時に判断して容易に調整が出来るという効果がある。
【発明を実施するための最良の形態】
【０００８】
以下、図面によって本発明を詳細に説明する。
【０００９】
図１は本発明の表示画面の例を表しており、表示画面１の中に画像表示部２と波形表示部３が含まれている。画像表示部２にはこれから撮影するシーンの現画像と先に撮影したシーンの前画像がオーバーラップされて表示される。波形表示部３には前記２つのシーンに対応する波形が２つオーバーラップして表示され、各波形色は補色の関係になっている。この時表示される波形はフレーム単位か１ライン単位かを選択出来る様にする。よって画像が類似の場合は波形形状が類似し、画像状態が全く同じ場合は波形が１本の白色表示になる。
【００１０】
図２は本発明の別の表示画面例を表しており、図１の表示をサムネイル表示に切り換えた時の図である。画像の種類等によって表示モードを切り換え可能にする。
【００１１】
図３は本発明のブロック図を表しており、外部から入力された画像信号１１は分岐して同期回路１２を経てメモリ１３に記憶される。メモリ１３に記憶された前画像信号とこれから撮影される現画像信号は画像合成部１６に送付される。
【００１２】
一方、画像信号１１から分岐した現画像信号とメモリ１３の出力側で分岐した前画像信号は、各々波形生成部１４，１５に送付され、波形合成部１７で補色の関係を保って合成される。合成の仕方は、表示方式信号１８，１９に従ってオーバーラップやサムネイルが選択される。
【００１３】
画像合成部１６と波形合成部１７から出力された各信号は画像波形合成部２０に送付されて合成画像と合成波形が合成され、１台の表示器２１で図１や図２の様に表示される。
【００１４】
尚、本説明では画像と波形の同時表示について説明したが、波形の代わりにベクトルであっても構わない。また使用する前画像は２つ以上であっても構わない。
【図面の簡単な説明】
【００１５】
【図１】本発明による表示画面の例である。
【図２】本発明による別の表示画面の例である。
【図３】本発明によるブロック図である。
【符号の説明】
【００１６】
１  表示画面
２  画像表示部
３  波形表示部
１１  画像信号
１２  同期回路
１３  メモリ
１４  波形生成部
１５  波形生成部
１６  画像合成部
１７  波形合成部
１８  表示方式信号
１９  表示方式信号
２０  画像波形合成部
２１  表示器
【図１】
2008054148.tif 000003
【図２】
2008054148.tif 000004
【図３】
2008054148.tif 000005
(57)【要約】【課題】大容量一次電池が不要なガス保安メーターを提供することを目的とする。【解決手段】ガスが流れるガス流路部１Ａと、このガス流路部１Ａを通過するガス量を計測するガス流量計測手段１と、前記ガス流路部１Ａを流れるガスを燃料として発電を行う燃料電池２と、前記ガス流量計測手段１の計測結果にもとづきガス流路部１Ａのガスの流れを停止するガス遮断手段３と、判定処理用のマイコン４と、別電源５とを具備し、前記判定処理用のマイコン４は、ガス遮断手段３を介したガス保安動作を遂行し、かつ燃料電池２の発電を断続的に停止するとともに、その停止時には電源として燃料電池２から別電源５に切換えるようにした。【選択図】図１
2008122425.tif 000002
【特許請求の範囲】
【請求項１】
ガスが流れるガス流路部と、このガス流路部を通過するガス量を計測するガス流量計測手段と、前記ガス流路部を流れるガスを燃料として発電を行う燃料電池と、前記ガス流量計測手段の計測結果にもとづきガス流路部のガスの流れを停止するガス遮断手段と、判定処理用のマイコンと、別電源とを具備し、前記判定処理用のマイコンは、ガス遮断手段を介したガス保安動作を遂行し、かつ燃料電池の発電を断続的に停止するとともに、その停止時には電源として燃料電池から別電源に切換えることを特徴とするガス保安メーター。
【発明の詳細な説明】
【技術分野】
【０００１】
本発明は、ガス使用上の安全を図るガス遮断手段を有するガス保安メーターに関するものである。
【背景技術】
【０００２】
従来、この種のガス保安メーターは、図３に示すようにガス流路部７を流れるガス流量計測部８と、ガス遮断手段用のマイコンを搭載するコントローラ基板９上にリチウム電池１０を電源として実装したガス遮断手段からなっていた。
【発明の開示】
【発明が解決しようとする課題】
【０００３】
しかし、このようなガス保安メーターは、その使用期間が１０年間と長いために、ガス遮断手段の保安性能をより高めようとした場合にはその機能が増加した分消費電流をカバーする方策として、内蔵する一次電池の容量を大きくする必要があった。
【０００４】
本発明は、ガス流路部のガスを燃料源とすることで前記従来の課題を解決したものである。
【課題を解決するための手段】
【０００５】
上記課題を解決するために本発明は、ガスが流れるガス流路部と、このガス流路部を通過するガス量を計測するガス流量計測手段と、前記ガス流路部を流れるガスを燃料として発電を行う燃料電池と、前記ガス流量計測手段の計測結果にもとづきガス流路部のガスの流れを停止するガス遮断手段と、判定処理用のマイコンと、別電源とを具備し、前記判定処理用のマイコンは、ガス遮断手段を介したガス保安動作を遂行し、かつ燃料電池の発電を断続的に停止するとともに、その停止時には電源として燃料電池から別電源に切換えるようにしたものである。
【０００６】
上記の構成によれば、ガス流路部のガスを燃料電池とすることでガス保安メーターとしての信頼性を高めることができる。
【発明の効果】
【０００７】
本発明によれば、燃料電池を電源とした場合のガス保安装置としての信頼性を大いに高めることができるものである。
【発明を実施するための最良の形態】
【０００８】
本発明は、ガスが流れるガス流路部と、このガス流路部を通過するガス量を計測するガス流量計測手段と、前記ガス流路部を流れるガスを燃料として発電を行う燃料電池と、前記ガス流量計測手段の計測結果にもとづきガス流路部のガスの流れを停止するガス遮断手段と、判定処理用のマイコンと、別電源とを具備し、前記判定処理用のマイコンは、ガス遮断手段を介したガス保安動作を遂行し、かつ燃料電池の発電を断続的に停止するとともに、その停止時には電源として燃料電池から別電源に切換えるようにしたものである。
【実施例】
【０００９】
以下本発明の実施例について図面を用いて説明する。
【００１０】
（実施例１）
図１において、１はガス流量計測手段、２はガス流量計測手段よりもガス流路１Ａ部後
方に配置されガス流路部のガスにより発電を行う燃料電池、３は燃料電池から電源供給を受けガス流路１Ａ部のガス供給を停止するガス遮断手段、４はガス遮断手段の判定処理用マイコン、５は燃料電池以外の別電源、６は燃料電池の動作異常を表示する表示手段である。
【００１１】
次に上記構成における作用を説明する。
【００１２】
本実施例のガス保安メーターは、ガス流量計測手段１よりもガス流路１Ａ部後方に配置された燃料電池２にてガス流路１Ａ部のガスにより発電するため、ガス保安メーターの保安機能として必要なガス遮断手段３を駆動する電源を十分に確保することができる。
【００１３】
また、ガス遮断手段３の判定処理用マイコン４を燃料電池２の作動制御用にも兼用することにより、燃料電池用の材料コストを低減することができる。
【００１４】
さらに、兼用する判定処理用マイコン４において燃料電池２の発電タイミングを、図２に示すタイミングチャートのように、ガス遮断手段３の保安機能の一つである「宅内管漏洩検知」が誤作動しないように一定時間の発電を断続的に繰り返すように設定しておくことも可能である。
【００１５】
また、ガス保安メーターがガス遮断後もしくはガス供給を長期間止められた場合は、供給ガスを燃料源とする燃料電池２からの電源供給が不可能となるため、マイコンバックアップ用の被充電回路である別電源５から同時供給可能の構成としておけば、マイコンの内部データが失われることもない。
【００１６】
尚、前記実施例において、電池を何時でも外部から接続できる構成を用いても同様の効果を有する。
【００１７】
そして、兼用される判定処理用のマイコン４は、燃料電池２の動作異常を検出すると、ガス遮断手段３の表示手段６に、表示も兼用して出力することも可能であり、燃料電池２専用の表示手段は不要となる。
【００１８】
以上のように、本発明にかかるガス保安メーターよれば、燃料電池を電源とした場合のガス保安装置としての信頼性を大いに高めることができるものであり、一般家庭用のガス保安装置に広く活用可能である。
【図面の簡単な説明】
【００１９】
【図１】本発明の実施例１におけるガス保安メーターの構成図
【図２】同メーターの燃料電池の発電のフローチャート
【図３】従来のガス保安メーターの構成図
【符号の説明】
【００２０】
１  ガス流量計測手段
１Ａ  ガス流路部
２  燃料電池  
３  ガス遮断手段
４  判定処理用マイコン
５  別電源
【図１】
2008122425.tif 000003
【図２】
2008122425.tif 000004
【図３】
2008122425.tif 000005
(57)【要約】【課題】  のり付け紙、ラベル紙などを印刷したとき、感光体に付着する粘着物を取り除き、感光体に正常な静電潜像が形成できる印刷装置を提供する。【解決手段】  感光体2表面に付着した異物3を除去する清掃体4の感光体2と当接する側が波形に形成されて、清掃体4を感光体2の回転方向に対し直角方向に往復運動可能に設けた。【選択図】図２
2008122574.tif 000002
【特許請求の範囲】
【請求項１】
感光体表面に付着した異物を除去する清掃体の感光体と当接する側が波形に形成され、その清掃体を前記感光体の回転方向に対し直角方向に往復運動可能に設けたことを特徴とする電子写真式印刷機の感光体清掃装置。
【発明の詳細な説明】
【技術分野】
【０００１】
本発明は、電子写真式印刷機の感光体清掃装置に関するものである。
【背景技術】
【０００２】
近年、印刷用紙の多様化は益々進み用紙表面に圧着糊が存在する用紙や粘着ラベル付き用紙の使用量が大幅に増えている。感光体上に形成された静電潜像にトナーを吸着させてトナー像を形成し、そのトナー像を用紙に転写して定着させる電子写真式印刷機では、転写行程において用紙と感光体の接触が発生するため、用紙の粘着物が感光体表面に付着し、粘着物が付着した部分に静電潜像が形成できず、その結果として用紙に正常にトナー像が形成できない不具合が発生することがある。
【０００３】
従来技術における感光体の清掃は、感光体若しくは担持体の表面についたトナーの除去を主目的として、ブレードや弾性円柱体を感光体に当接させて実施されている。前記従来の清掃装置においては、トナーの清掃は十分行えるものの、のり付け紙の印刷により感光体に付着した粘着物は十分に除去されない状況である。従って、感光体上に正常な静電潜像が形成できないことがあった。
【０００４】
【特許文献１】特開２０００−１９４２４０号公報
【特許文献２】特開平１１−３０９３８号公報
【発明の開示】
【発明が解決しようとする課題】
【０００５】
前述の従来技術においては、クリーニングブレードのない電子写真式印刷機に比べれば正常な静電潜像が形成できない不具合は減少する。しかし従来のクリーニングブレードでは、感光体表面についた粘着物を十分に除去することはできない。粘着物の付着状態によっては、感光体の回転方向だけでなく、感光体の回転方向に対して直角方向にも粘着物の除去力の成分が十分に発生する必要がある。
【課題を解決するための手段】
【０００６】
感光体に付着した粘着物を除去する清掃体において、前記清掃体の感光体と接触する側を波形とすること、更に前記清掃体を感光体の回転方向に対して直角方向に往復運動させることにより、感光体の回転方向及び感光体の回転方向に対し直角方向の二方向に粘着物除去力の成分を得ることができるため、粘着物の付着状態により変わることのない十分な除去力が得られる。
【発明の効果】
【０００７】
本発明によれば、感光体に付着した粘着物に対して、感光体の回転方向及び感光体の回転方向に対して直角な方向の二方向に除去力が発生するため、粘着物の付着の状態に関わらず、十分に粘着物が除去できるため、静電潜像の不具合を防止でき、その結果として用紙に正常にトナー像が形成できない不具合の発生を防ぐことができる。
【発明を実施するための最良の形態】
【０００８】
以下、本発明を具体的な実施例を図を用いて詳細に説明する。
【０００９】
図１は本発明の実施例に係る感光体清掃装置が装着された電子写真式印刷機の印写部の概略図、図２はその感光体清掃装置の構造図、図３は図２のＡ−Ａ線矢視断面図である。
【００１０】
印刷用紙１との接触により、感光体２の表面に付着した粘着物３を除去するため、清掃体４をクリーニングブラシ５の感光体２の回転方向下流に設置してある。清掃体４は、図２に示すように感光体２と接触する側が波形となっている。
【００１１】
清掃体４は清掃体ホルダ８に取り付けられ、清掃体ホルダ８は清掃機フレ−ム９に取り付けられている。また、清掃体ホルダ８の一方の端部と清掃機フレ−ム９の間にはスプリング１０が装備され、清掃機フレ−ム９の内部で清掃体８は常にもう一方の端部側へ押し付けられている。
【００１２】
更に、清掃体ホルダの端部には、偏心カム１１が取り付けられたモ−タ１２が装備され、偏心カム１１は清掃体ホルダと接触している。従って、モ−タ１２が回転すると偏心カムが回転し、清掃機フレ−ム９内部で清掃体ホルダ８は往復運動をする構成になっている。
【図面の簡単な説明】
【００１３】
【図１】本発明の実施例に係る清掃装置が装備された電子写真式印刷機の印写部の概略図である。
【図２】本発明による清掃装置の構造図である。
【図３】図２のＡ−Ａ線矢視断面図である。
【符号の説明】
【００１４】
１は印刷用紙、２は感光体、３は粘着物、４は清掃体、５はクリーニングブラシ、６は現像機、７は転写器、８は清掃体ホルダ、９は清掃機フレ−ム、１０はスプリング、１１は偏心カム、１２はモ−タ、１３は軸受、１４は帯電器、１５は除電器。
【図１】
2008122574.tif 000003
【図２】
2008122574.tif 000004
【図３】
2008122574.tif 000005
(57)【要約】      （修正有）【課題】石油がそこをつきそうな未来に車のエンジンを動かす動力に必要な資産のようなもののありかをみつけることで、ガソリン代値上げにもピリオドを打てるようにする。また核廃絶や核の抑止力の本来の目的である核の平和利用に近づくという安全規約のためである。【解決手段】プルトニウムにウランを混ぜるとプルサーマルに変化する。原子番号９２のウランから９３番目の未知の物質が生まれることになっていた。だが、中性子の所有する管理する分子か分母をぶつけたウランは、新物質やある性質を生みだすだろうか。これを核分裂の配合と人は呼ぶだろうか。名づけるだろうか。【選択図】なし【特許請求の範囲】
【請求項１】
プルトニウムにウランを混ぜると、プルサーマルに変化するのは、常識！
とすれば、原子番号９２のウランから９３番目の未知の物質が生まれることになっていた。（これが発明です。）
だが、中性子の所有する管理する分子か分母をぶつけたウランは、新物質や新性質や新エネルギーを生む。・・・したがって・・・。
これを核分裂の配合とみとめるだろう。
（〔核分裂の応用〕）
【発明の詳細な説明】
【背景技術】原子力発電光のもう一つのエネルギー・シェア【０００２】
【特許文献１】核分裂の応用
【特許文献２】
【非特許文献１】
【非特許文献２】
【発明の開示】
【発明が解決しようとする課題】▲１▼石油がそこをつきそうな未来に車のエンジンを動かす動力に必要な資産のようなもののありかをみつけることで、ガソリン代値上げにもピリオドを打てるようにという目的！
▲２▼（核廃絶や核の抑止力の本来の目的である核の平和利用に近づくという安全規約のため）
【課題を解決するための手段】  この文案が役立てば、
核問題にゆれるインド・パキスタン・イランに呼びかける平和への願いを、親展させる
科学者の人達と世界中の人々の祈りに参加する人々の議論の一輪の話し合い！
(57)【要約】【課題】  警察官等が事故現場等、緊急事態に強化ガラスの打破を容易に、且つ瞬時に行えることを目的とし、早急な人身の救助を行うことを課題とするものである。【解決手段】  警棒の長手方向の持手部即ち、握り部の後端部の蓋体に該ガラス打破器の要部を埋め込み蓋体を螺嵌状に被せて形成したものであって、該蓋体の中央部を角溝状に密嵌する四角柱の作動体を横竪自在に可動できるよう蓋体を貫通する回転軸を偏心させて嵌装する。即ち蓋体の中心部を回転軸が貫通すると該軸穴に仍って蓋体の中心部に固設される尖形状の錘状ピン体の取付けが不能となり更に打破器の再使用が不可である恐れを有するためである。【選択図】図１
2008122050.tif 000002
【特許請求の範囲】
【請求項１】
警察官等が常時携帯する警棒において、中空円筒形状の警棒の握り部の後端部へ螺嵌した蓋体の中央部を切削し四角柱の横竪自在とする作動体を嵌入し該作動体の反転時に尖形状の錐体ピン体が顕現し更に正転時にはピン体が蓋体内に没入する該作動体の中心部に尖形状の錐体ピンを固設した警棒に定設した強化ガラス打破器。
【請求項２】
上記蓋体に設けた作動体を横竪自在に可動する回転軸を偏心した請求項１に記載の警棒に定設した強化ガラス打破器。
【発明の詳細な説明】
【技術分野】
【０００１】  本発明は警察官等が車両事故等で車内からの人員の脱出を救助するための車輛のフロントガラス、窓等の強化ガラスを打破するために使用する常時携帯する警棒を使用するものである。
【背景技術】
【０００２】  従来、本考案の強化ガラスの打破器は、オーナードライバーが自ら自動車用品店等で購入し、万一の閉じ込まれ事故に備えている現況にある。
又、緊急自動車（消防自動車を含む）では、常時装備されている。
本発明については、弊社が登録実用新案第３０５５４５９号で開示した、警棒の長手方向の両端部へ強化ガラス破摧器を挿入し固着嵌着して用いるものであったが、使用後脱離に手間が掛かり又、持ち運びが容易ではない事態があり、中止したのである。又同類の技術として特開２０００−２４６６６９号が開示されているが、一度使用すると警棒の再度の使用が不能となる欠点を有するものである。緊急、非常時に該事故現場等に遭遇するのは、交通警察官（白バイ隊員）或いは、通報によって現場にかけつけた警察官であり、自動車車内に閉じ込められた乗員の救助で強化窓ガラスを破摧する必要がある場合、ハンマー、石等の手近にある物品で強化ガラスを破摧しようとしても、該ガラス面にハンマーを含む鈍角な物品で打ち叩いても、該ガラスは、容易に破摧しないことは周知である。上述の理由によって警察官等が常に強化ガラスを破摧する器具（殆どがハンマー状或いは、スパナ状）を携帯することは、已に各種の必須装備を行っているため不可である。
【特許文献１】登録実用新案第３０５５４５９号
【特許文献２】特開２０００−２４６６６９号
【発明の開示】
【発明が解決しようとする課題】
【０００３】  上記の事由によって警察官等が事故現場等、緊急事態に強化ガラスの打破を容易に、且つ瞬時に行えることを目的とし、早急な人身の救助を行うことを課題とするものである。
【課題を解決するための手段】
【０００４】  本発明は、上記の課題を解決するために成されたもので、警察官等が巡回中又交通警察官がパトロール中等の出動中携帯が義務付けられている警棒の長手方向の持手部即ち、握り部の後端部の蓋体に該ガラス打破器の要部を埋め込み蓋体を螺嵌状に被せて形成したものであって、該蓋体の中央部を角溝状に密嵌する四角柱の作動体を横竪自在に可動できるよう蓋体を貫通する回転軸を偏心させて嵌装する。即ち蓋体の中心部を回転軸が貫通すると該軸穴に仍って蓋体の中心部に固設される尖形状の錘状ピン体の取付けが不能となり更に打破器の再使用が不可である恐れを有するためである。
次に作動体は通常時は蓋体の外周域に添って何らの不具合もなく存しているが作動体を反転すると裏面の中心部に尖形状の錐体のピン体が固設されており蓋体の中心に突出状に顕現する。該ピン体で強化ガラスを殴打し打破するものである。更に作業終了時においては該作動体を正転するとピン体は蓋体内に没入し通常時に回生するものである。
【発明の効果】
【０００５】  上述したように本発明の警棒に定設した強化ガラス打破器は従来例に存しない警察官等が常時携帯する警棒に定設されており、事故現場等の緊急事態に車輛等の強化ガラスを打破し容易に且つ瞬時に実行し車輛内等に閉じ込められた人身の救助が実施できるものであり従来に存しない使い勝手の良い極めて容易な手段で繰り返しての使用を可能とするものである。
【発明を実施するための最良の形態】
【０００６】  以下、本発明の実施の形態を添付図面に基づいて説明する。
図１は警棒（１）の縮納した状態を表した説明図であつて握り部の後端部蓋体（２）を示すものである。蓋体（２）の中央部を四角柱の作動体（３）が密嵌できるように角溝状に切削する。次に蓋体（２）の外周面の中心を転移した部位に蓋体（２）及び作動体（３）を貫通する貫通孔を穿孔し作動体（３）が自在に横転及び竪立可能に軸止する。
作動体（３）の裏面の中心部位即ち蓋体（２）の中心部に当接する位置に尖形状の錐体のピン体（４）が固着されて突出状に顕現する作動体（３）を反転すると表面となりピン体（４）は蓋体（２）の内部に没入するよう形成したものである。
【実施例】
【０００７】  上述のように警棒（１）の握り部の後端部の蓋体（２）の中心部に錐体状のピン体（４）を突出顕現させ該ピン体（４）で強化ガラスを殴打して打破するものである。
【産業上の利用可能性】
【０００８】  本件出願人は長年に亙って保安用品の製造業者である。
【図面の簡単な説明】
【０００９】
【図１】本件警棒の要部正面図である。
【図２】本件警棒の蓋体を表した要部断面図である。
【図３】本件警棒の蓋体を表した要部平面図である。
【符号の説明】
【００１０】１…警棒
２…蓋体
３…作動体
４…錐状のピン体。
【図１】
2008122050.tif 000003
【図２】
2008122050.tif 000004
【図３】
2008122050.tif 000005